【手続補正書】
【提出日】平成19年12月14日(2007.12.14)
【手続補正１】
【補正対象書類名】明細書
【補正対象項目名】全文
【補正方法】変更
【補正の内容】
【書類名】        明細書
【発明の名称】    展示見本
【特許請求の範囲】
【請求項１】
商品の側部周面と略対応する形状に湾曲される表示ラベルを、該所定の曲率半径に湾曲した状態に保持する展示見本用のラベル保持枠であって、
上記ラベル保持枠の後側外面に、該ラベル保持枠の外周面に沿って所定の曲率半径に湾曲した状態に上記表示ラベルの両側端部を保持する端部保持部を形成した
展示見本用のラベル保持枠。
【請求項２】
上記表示ラベルの端部と上記ラベル保持枠又は端部保持部との対向面に、互いに係止される凹部と凸部とを形成した
請求項１記載の展示見本用のラベル保持枠。
【請求項３】
上記ラベル保持枠の上部及び下部に、上記表示ラベルの上下縁部を保持するラベル保持部を形成すると共に、
上記ラベル保持部の外面に、上記表示ラベルの縁部を係止する係止部を設けた
請求項１又は２記載の展示見本用のラベル保持枠。
【請求項４】
上記ラベル保持枠を、上記表示ラベルの上縁部を保持する上部枠体と、該表示ラベルの下縁部を保持する下部枠体とに分割すると共に、
上記上部枠体の後縁部に垂下した支持部と、下部枠体の後縁部に起立した支持部とを上下方向に対して伸縮可能に連結した
請求項１，２又は３記載の展示見本用のラベル保持枠。
【発明の詳細な説明】
【０００１】
【発明の属する技術分野】
この発明は、例えば清涼飲料水、炭酸飲料水、酒類、コーヒ、お茶等の飲み物が封入された缶や瓶等の商品を販売する自動販売機に於いて、購入する商品を選択するために陳列される展示見本用のラベル保持枠に関する。
【０００２】
【従来の技術】
従来、上述の展示見本としては、例えば表示ラベルを、略円筒状に形成したダミー本体の前面部（曲面部）に装着すると共に、その表示ラベルの両端部を、ダミー本体の後面部と該後面部に固定した保持部材との対向面間に差込んで挾持固定するラベル保持構造（実用新案登録第２５６３３６６号公報、実用新案登録第３００９７８５号公報）がある。
【０００３】
【発明が解決しようとする課題】
しかし、上述のラベル保持構造は、表示ラベルをダミー本体の前面部に装着するだけの構造であるので、ダミー本体の外径寸法と略対応する特定の商品に用途が限定されてしまい、その他の商品の展示見本として用いることができない。従って、自動販売機により販売される商品のサイズを変更する場合、その商品と酷似する外径寸法の展示見本に交換しなければならず、様々なサイズを有する複数種の商品に対応して、展示見本を複数製作したり、予め準備したりしなければならず、展示見本の保管及び取扱いが大変煩わしくなるだけでなく、一つの展示見本に要する単価が高くなり、展示見本毎に複数の金型が必要となるため、製作費が高くなるという問題点を有している。
【０００４】
この発明は上記問題に鑑み、表示ラベルをラベル保持枠の内周側又は外周側に保持して、展示見本の模倣寸法を商品に略対応して変更するので、特定の商品のみに用途が限定されず、様々なサイズを有する商品を模倣する用途に用いることができる展示見本用のラベル保持枠の提供を目的とする。
【０００５】
【課題を解決するための手段】
請求項１記載の発明は、商品の側部周面と略対応する形状に湾曲される表示ラベルを、該所定の曲率半径に湾曲した状態に保持する展示見本用のラベル保持枠であって、上記ラベル保持枠の後側外面に、該ラベル保持枠の外周面に沿って所定の曲率半径に湾曲した状態に上記表示ラベルの両側端部を保持する端部保持部を形成した展示見本用のラベル保持枠展示見本用のラベル保持枠であることを特徴とする。
【０００６】
請求項２記載の発明は、上記請求項１記載の構成と併せて、上記表示ラベルの端部と上記ラベル保持枠又は端部保持部との対向面に、互いに係止される凹部と凸部とを形成した展示見本用のラベル保持枠であることを特徴とする。
【０００７】
請求項３記載の発明は、上記請求項１又は２記載の構成と併せて、上記ラベル保持枠の上部及び下部に、上記表示ラベルの上下縁部を保持するラベル保持部を形成すると共に、上記ラベル保持部の外面に、上記表示ラベルの縁部を係止する係止部を設けた展示見本用のラベル保持枠であることを特徴とする。
【０００８】
請求項４記載の発明は、上記請求項１，２又は３記載の構成と併せて、上記ラベル保持枠を、上記表示ラベルの上縁部を保持する上部枠体と、該表示ラベルの下縁部を保持する下部枠体とに分割すると共に、上記上部枠体の後縁部に垂下した支持部と、下部枠体の後縁部に起立した支持部とを上下方向に対して伸縮可能に連結した展示見本用のラベル保持枠であることを特徴とする。
【０００９】
【発明の効果】
この発明によれば、表示ラベルをラベル保持枠の内周側又は外周側に保持して、展示見本の模倣寸法を商品のサイズに略対応して変更するので、様々なサイズを有する商品を一つの展示見本により模倣することができると共に、特定の商品のみの用途が限定されず、複数の商品用の展示見本として用いることができる。しかも、表示ラベルのみを交換して、一つのラベル保持枠を共通して使用するので、複数の商品見本を製作及び準備したりする必要が無く、商品見本の保管及び取扱いが容易に行える。且つ、商品の種類及びサイズに対応した表示ラベルを複数製作するだけで済み、一つの商品見本に要する製作費及び金型費の低減を図ることができる。
【００１０】
【実施例】
この発明の一実施例を以下図面に基づいて詳述する。  
図面は自動販売機により販売される商品に略対応してサイズを変更するときに用いられる展示見本及びそのラベル保持枠を示し、図１１に於いて、この展示見本７は、自動販売機１により販売される商品（例えば缶商品）と略酷似する外観及び意匠に形成され、上部前面に設けた展示部２に複数陳列される。
【００１１】
展示部２の展示面３には、図８にも示すように、展示面３に陳列される展示見本７の陳列数に略対応して、略丸形状の開口部４を所定間隔に隔てて複数形成している。その展示部２の内部には、光源５（例えば蛍光灯）を展示面３の開口部４と対向して配設している。
【００１２】
光源５は、展示見本７が立体的に発光され、シート状の表示ラベル１２に印刷した意匠（例えば商標、文字、模様、図柄等）を明瞭に表示するのに必要な光量を投光する。また、光源５の他の例として、例えば白熱灯、照光ランプ、発光素子又はその他の照光機能を備えた機器等を用いてもよい。
【００１３】
上述の缶型商品に代わる他の例として、例えばプラスチック製容器（ペットボトル）やガラス製容器（瓶）等の商品と酷似する展示見本を陳列してもよく、また、展示見本７を、任意の展示部（例えば机、棚、陳列ケース等）に単独で陳列してもよい。
【００１４】
前述の展示見本７は、図１乃至図５に示すように、後面側を残して、前面側及び両側面が開口された略半円筒状のラベル保持枠８と、その前面側内周（又は前面側外周）に保持されるフィルム状又はシート状の表示ラベル１２とで構成され、ラベル保持枠８及び表示ラベル１２は、例えばポリアセタール、ポリプロピレン、ポリエチレン、ポリエステル、ポリカーボネード、アクリル等のプラスチックで形成している。
【００１５】
上述のラベル保持枠８は、上述のプラスチックにより不透明又は半透明（或いは透明）に形成され、上下に分割した上部枠体９と下部枠体１０との後側対向縁部間を、平面から見て略円弧状（又は略門形状、略台形状、略馬蹄形状）に形成した背板１１により上下方向に対して相対移動可能に連結している。また、ラベル保持枠８を、例えば金属や木等の材質で形成してもよい。
【００１６】
上述の枠体９は、商品の上部（プルトップ側）と略対応する形状に形成され、その枠体９上部に、表示ラベル１２の上端側縁部を所定の曲率半径に保持（又は矯正）するラベル保持部１３を形成している。且つ、ラベル保持部１３の前側縁部には、上方から見て略半円形状（又は略円弧状）で、表示ラベル１２を所定の曲率半径に湾曲した状態に挿入ガイドする孔部１３ａを形成している。
【００１７】
孔部１３ａは、表示ラベル１２を上下方向に対して差込み及び抜取りが許容される溝幅で、上面側開口部から下面側開口部に向けて徐々に狭くなる形状（テーパ形状）に形成され、その内周縁部には、表示ラベル１２の上縁部が抜止め又は係止される段部１３ｂ（抜止め部）を円周方向に連続（又は部分的）して形成している。
【００１８】
且つ、ラベル保持部１３の下面側後縁部に、商品の後側周面と略対応する形状で、背板１１の上端側内周面に対して重合される上方から見て略円弧状の支持部１４を下方に向けて形成すると共に、支持部１４の内側両縁部に、表示ラベル１２の両側端部が係止されるガイド部１５を、上述の孔部１３ａの両端部から下方に向けて該孔部１３ａの両端部間と略対応する左右間隔に隔てて上下方向に連続（又は部分的）に形成し、その支持部１４の内側中央部に、背板１１の上端側内側中央部に形成した左右の突起１９が係止される長孔２０を、所定の左右間隔に隔てて上下方向に形成している。
【００１９】
且つ、支持部１４の両側縁部に、背板１１の両端部と対向して該背板１１を上下方向にガイドする突起１４ａを上下方向に連続形成（又は所定間隔に隔てて）し、背板１１と支持部１４との対向面間に対して表示ラベル１２の端部が誤って差し込まれたり、枠体１０が前後に撓んだりするのを防止している。
【００２０】
前述の枠体１０は、商品の下部（底部側）と略対応する形状に形成され、その枠体１０下部に、表示ラベル１２の下縁部を所定の曲率半径に保持（又は矯正）するラベル保持部１６を形成している。且つ、ラベル保持部１６の上面側後縁部に、商品の後側周面と略対応する形状で、背板１１の下端側内周面に対して重合される上方から見て略円弧状の支持部１７を上方に向けて形成している。
【００２１】
且つ、支持部１７の内側両縁部に、表示ラベル１２の両側端部が係止されるガイド部１８を、上述の孔部１３ａの両端部間と略対応する左右間隔に隔てて上下方向に連続（又は部分的）して形成し、その支持部１７の内側中央部に、背板１１の下端側内側中央部に形成した左右の突起１９が係止される長孔２０を、所定の左右間隔に隔てて上下方向に形成している。なお、ガイド部１５，１８は、略同一間隔に隔てて略同一線上に形成している。
【００２２】
ガイド部１５，１８の対向端部は、枠体９，１０を最小サイズに伸縮調節して、支持部１４，１７を互いに当接したとき互い違いに係止され、表示ラベル１２の端部を係止する方の側面が略垂直となる状態に重合される。
【００２３】
且つ、支持部１７の両側縁部に、背板１１の両端部と対向して該背板１１を上下方向にガイドする突起１７ａを上下方向に連続形成（又は所定間隔に隔てて）し、背板１１と支持部１７との対向面間に対して表示ラベル１２の端部が誤って差し込まれたり、枠体９が前後に撓んだりするのを防止している。
【００２４】
上述の突起１９は、側面から見て略Ｔ字状に形成され、縦長の長孔２０に対して上下動可能に係止される。一方、長孔２０は、上述の突起１９と対向する左右間隔に隔てて上下方向に略平行して複数本形成（実施例では２本）され、ラベル保持枠８を、例えば略１９０ml、略２５０ml等の内容量を有する商品と略対応するサイズに伸縮調節可能な長さに形成している。
【００２５】
且つ、枠体９の長孔２０上端及び枠体１０の長孔２０下端には、突起１９の差込み及び抜取りが許容される開口部２１を形成している。また、長孔２０の対向縁部を、突起１９の軸部１８ａに対して接触抵抗が付与される幅狭間隔に形成したり、長孔２０と突起１９との対向面に小さな凹凸を形成する等して、接触抵抗を付与してもよい。
【００２６】
且つ、互いに係止される突起２２と孔部２３とを、背板１１と支持部１４との対向面及び背板１１と支持部１７との対向面に相対向して形成し、背板１１側に形成した孔部２３を、上述の内容量を有する商品と略対応する伸縮サイズに枠体９，１０が保持される上下間隔に隔てて形成している。また、突起２２と孔部２３とに代わる他の係止手段として、例えば支持部１４，１７の対向面に凹凸を形成したり、接触抵抗を付与する部材を介在する等してもよい。加えて、背板１１と支持部１４，１７との対向面に小さい突起を形成して、伸縮時の接触抵抗を軽減してもよい。
【００２７】
実施例では、背板１１を支持部１４，１７の外面側に重合するが、支持部１４，１７の内面側に重合してもよい。また、上述の突起１９や孔部２３を支持部１７側に形成し、長孔２０や突起２２を、支持部１４側に形成してもよい。
【００２８】
なお、ラベル保持部１３に形成した孔部１３ａと、ラベル保持部１６の前側縁部に形成した略半円形状（又は略円弧状）の溝部１６ａとは、表示ラベル１２の上下縁部を所定の曲率半径に湾曲した状態（シリンドリカル状）に矯正及び保持し、溝部１６ａに沿って円周方向に対して所定間隔に隔てて形成した支持片１６ｂは、表示ラベル１２の下縁部を湾曲した状態に差込みガイド及び保持する。また、壁部の代わりに、溝部や突起等を形成してもよい。
【００２９】
且つ、ラベル保持部１６の両側外周面（及び前側外周面）に、表示ラベル１２の下縁部が係止される略Ｌ字状の係止部２４を円周方向に対して所定間隔に隔てて複数形成し、表示ラベル１２の下縁部を係止部２４…に係止して、ラベル保持部１６の外周面に沿って所定の曲率半径に湾曲した状態に保持（又は矯正）すると共に、表示ラベル１２を所定高さに支持して、表示ラベル１２が自重により下方に変位するのを防止する。また、係止部２４を、ラベル保持部１３の両側外周面（及び前側外周面）にも形成してもよい。或いは、表示ラベル１２の縁部を係止する溝部（図示省略）を、ラベル保持部１３，１６の外周面に沿って形成してもよい。
【００３０】
一方、背板１１の外側両縁部に、表示ラベル１２の端部と対向して該表示ラベル１２の端部を保持する保持爪１１ａを形成すると共に、その保持爪１１ａを上下方向に対して所定間隔に隔てて複数形成（又は連続的に形成）している。図６に示すように、表示ラベル１２の端部を背板１１と保持爪１１ａとの対向面間に対して強制的に差し込み、その保持爪１１ａの弾性により表示ラベル１２の端部を抜止めして、表示ラベル１２をラベル保持部１６の外周面に沿って所定の曲率半径に湾曲した状態に保持（又は矯正）する。
【００３１】
また、図７に示すように、保持爪１１ａ（又は背板１１）に形成した突起１１ｂを、表示ラベル１２の端部に形成した孔部１２ｂに係止して所定の曲率半径に湾曲した状態に抜止め保持してもよい。なお、突起を、表示ラベル１２側に形成し、孔部を、保持爪１１ａ又は背板１１に形成してもよい。
【００３２】
前述の表示ラベル１２は、上述の透光性を有するプラスチックにより透明又は半透明に形成され、商品の外周面と略対応する曲率半径に湾曲可能な厚みに形成し、その表示面には、商品と略同一の色彩、模様、文字等の意匠を印刷又は形成している。予め、上述の内容量を有する商品と略対応するサイズ（例えば略１９０ml、略２５０ml等）に形成している。
【００３３】
前述のラベル保持部１６の下面側中央部には、図８にも示すように、光源５からの光を導光する採光窓２５を前述の開口部４と対向して形成している。この採光窓２５は、開口部４よりも小径で、展示見本７の内部空間に対して光源Ｂの光が導光される大きさ及び形状に形成している。
【００３４】
且つ、採光窓２５の下面側周縁部に、開口部４の裏面側周縁部よりも下方に所定長さ突出される筒状部２６を、展示部２の開口部４に対して略垂直に差込み可能に形成し、筒状部２６の対向周縁部に、開口部４の裏面側周縁部に対して係止される支持部２７を、開口部４の対向周縁部に形成した切欠き部４ａに対して差込み可能に形成している。
【００３５】
且つ、支持部２７の上位側に、開口部４の内周縁部に対して圧接される凸状の突起２８を形成している。突起２８は、開口部４の内周縁部に圧接したときに生じる接触抵抗により、ラベル保持枠８を、表示ラベル３側が前向きとなる状態に回り止めする。また、突起２８を、開口部４の周縁部に形成した凹部や溝部に係止したり、その内周縁部に食い込ませる等して所望角度又は段階的に回り止めしてもよい。
【００３６】
図示実施例は上記の如く構成するものとして、以下、上述の展示見本７を商品と略対応するサイズに変更する方法を説明する。
【００３７】
先ず、内容量の小さい商品と略対応するサイズの表示ラベル１２をラベル保持枠８内周に装填する場合、図１乃至図５に示すように、展示見本７を、自動販売機１の展示部２に陳列する前又は陳列した後、ラベル保持枠８の枠体９，１０を伸縮調節して、所望サイズ（例えば略１９０ml、略２５０ml）の表示ラベル１２を、枠体９のラベル保持部１３に形成した孔部１３ａから挿入し、表示ラベル１２の上縁部を、ラベル保持部１３に形成した孔部１３ａの段部１３ｂに係止し、下縁部を、ラベル保持部１６に形成した溝部１６ａに係止して、表示ラベル１２を所定の曲率半径に湾曲した状態に矯正及び保持する。
【００３８】
また、枠体９，１０を伸縮して、ラベル保持部１３，１６の間を表示ラベル１２の高さよりも広い上下間隔に離間した後、表示ラベル１２を、ラベル保持枠８の前面側開口部から挿入して、湾曲した状態に保持してもよい。
【００３９】
次に、内容量の大きい商品と略対応するサイズの表示ラベル１２をラベル保持枠８外面に装着する場合、図６、図７にも示すように、表示ラベル１２の一端を、背板１１の一側縁部と該一側縁部に形成した保持爪１１ａ…との対向面間に差込み固定した後、表示ラベル１２をラベル保持部１３，１６の外周面に沿って湾曲し、表示ラベル１２の下縁部をラベル保持部１６の両側外周面に形成した係止部２４…に係止する。
【００４０】
続いて、表示ラベル１２の他端を、背板１１の他側縁部と保持爪１１ａ…との対向面間に差込み固定して、表示ラベル１２を、ラベル保持部１６の外周面に沿って所定の曲率半径に湾曲した状態に保持（又は矯正）する。
【００４１】
以上のように、表示ラベル１２をラベル保持枠８の内周側又は外周側に保持したり、ラベル保持枠８を所望するサイズに伸縮調節する等して、展示見本７の模倣寸法を商品のサイズに略対応して変更するので、様々なサイズを有する商品を一つの展示見本７により模倣することができ、特定の商品のみの用途が限定されず、複数の商品用の展示見本７として用いることができる。しかも、表示ラベルのみを交換して、一つのラベル保持枠８を共通して使用するので、複数の商品見本７を製作及び準備したりする必要が無く、商品見本７の保管及び取扱いが容易に行える。且つ、商品の種類及びサイズに対応した表示ラベル１２を複数製作するだけで済み、一つの商品見本７に要する製作費及び金型費の低減を図ることができる。
【００４２】
図９は、展示見本７を構成する枠体９，１０の他の固定構造を示し、ラベル保持枠８を前後に傾けて、採光窓２５の下面側後縁部に形成した係止爪３０を、展示部２の展示面３に形成した開口部４の後側内周縁部に係止し、下面側前縁部に形成した係止爪３１を、開口部４の前側内周縁部に係止する。係止爪３１の両側部に形成した略円弧状の突起３２を、開口部４の内周縁部に係止し、両側縁部に形成した凸部３３を、開口部４の両側縁部に形成した切欠き部４ａに係止して回り止めするので、上述の実施例と略同様に、展示見本７を着脱可能に固定することができる。
【００４３】
図１０は、展示見本７のその他の固定構造を示し、ラベル保持枠８を構成する枠体１０のラベル保持部１６に形成した筒状部３５を、展示面３に形成した開口部４に差込み、筒状部３５の対向縁部に形成した係止部３６を、開口部４の対向縁部に形成した切欠き部４ａに挿入し、その係止部３６近傍に形成した支持片３７を、開口部４の内周縁部に当接して筒状部３５中心に向けて変位又は可撓する。ラベル保持枠８を水平回動して、係止部３６を切欠き部４ａの一端に係止し、支持片３７をその復元力により切欠き部４ａの他端に係止して回り止めするので、前述の実施例と略同様に、展示見本７を着脱可能に固定することができる。
【００４４】
この発明の構成と、上述の実施例との対応において、
この発明の端部保持部は、実施例の背板１１の保持爪１１ａに対応し、
以下同様に、
凸部は、保持爪１１ａ又は背板１１の爪部１１ｂに対応し、
凹部は、表示ラベル１２に形成した孔部１２ｂに対応し、
係止部は、係止部２４に対応するも、
この発明は、上述の実施例の構成のみに限定されるものではない。
【００４５】
上述した展示見本７の構造は、例えば２５０ml以下や３４０ml以上の内容量と、２５０mlと３４０mlとの間の内容量とを有する商品と略対応するサイズに伸縮するのにも適用することができる。
【００４６】
また、ラベル保持枠８を、展示部２の展示面３に固定する他の固定方法として、例えばマグネットや面ファスナー、両面粘着テープ、ネジ、ボルト等の部材で固定してもよい。
【図面の簡単な説明】
【図１】  展示見本のラベル保持枠を示す斜視図。
【図２】  ラベル保持枠を示す正面図。
【図３】  ラベル保持枠を示す背面図。
【図４】  表示ラベルをラベル保持枠内側に装着した状態を示す横断平面図。
【図５】  ラベル保持枠の伸縮状態を示す縦断側面図。
【図６】  表示ラベルをラベル保持枠外側に装着した状態を示す縦断側面図。
【図７】  表示ラベルの他の保持構造を示す要部横断平面図。
【図８】  ラベル保持枠の固定構造を示す底面側斜視図。
【図９】  ラベル保持枠の他の固定構造を示す底面側斜視図。
【図１０】  ラベル保持枠のその他の固定構造を示す底面側斜視図。
【図１１】  展示見本が陳列された自動販売機を示す正面図。
【符号の説明】
７…展示見本
８…ラベル保持枠
９，１０…枠体
１１…背板
１１ａ…保持爪
１１ｂ…爪部
１２…表示ラベル
１２ｂ…孔部
１３，１６…ラベル保持部
１４，１７…支持部
２４…係止部
【手続補正２】
【補正対象書類名】図面
【補正対象項目名】図３
【補正方法】変更
【補正の内容】
【図３】
2002222454.tif 000001